(57)【要約】【課題】  電気絶縁碍子の搬送、養生に適し、取替え作業を安全かつ効率的に行うのに適した電気絶縁碍子搬送用袋、およびこれを用いた電気絶縁碍子の取替え方法を提供する。【解決手段】  柔軟性のある有底円筒状の袋体と、その開口縁部に配置されたリング状の開口保持具と、前記袋体の周側部の対向する位置に固着され、前記開口縁部から延び、先端に吊具を備えた少なくとも1対の吊持体とを有することを特徴とする電気絶縁碍子搬送用袋。碍子の全長に応じて上記袋体に接続可能な延長部材を備える。【選択図】  図４
2007106425.tif 000002
【特許請求の範囲】
【請求項１】
柔軟性のある有底円筒の袋体と、その開口縁部に配置されたリング状の開口保持具と、前記袋体の周側部の対向する位置に固着され、前記開口縁部から長手方向に沿って外方に延び、先端に吊具を備えた少なくとも1対の吊持体とを有することを特徴とする電気絶縁碍子搬送用袋。
【請求項２】
前記袋体は、所定の位置でその周側面を束縛可能な帯状体を有する請求項１に記載の搬送用袋。
【請求項３】
更に、一方の開口縁部にリング状の開口保持具を備え、前記少なくとも１対の吊持体を長手方向に沿って周側面の対向する位置にそれぞれ挿通させる複数の通し穴を配列させた円筒状の延長部材を備える請求項１または２に記載の搬送用袋。
【請求項４】
前記円筒状の延長部材は、前記開口保持具を備える一方の開口とは反対側の開口に、前記袋体の開口縁部外周面に連結可能な接続手段を備える請求項３に記載の搬送用袋。
【発明の詳細な説明】
【技術分野】
【０００１】
本発明は、送電鉄塔などの送電線の支持物に設置された電気絶縁碍子の取替え作業に有用な電気絶縁碍子搬送用袋に関する。
【背景技術】
【０００２】
送電線路の支持物として所定の径間で設置されている送電鉄塔では、送電線と鉄塔とを電気的に絶縁するために、電気絶縁碍子（以下、単に「碍子」という。）が使用されている。この碍子は、長年の使用により経年劣化が生じ絶縁耐力が著しく低下したり、落雷やフラッシオーバなどにより破損する場合があるため、新品と取替える必要がある。
【０００３】
従来、碍子の取替え作業には、「ドンゴロス」と呼ばれる養生シートが使用されてきた。この養生シートは、縦横の長さが碍子の全長および円周長さよりも大きい長方形の綿布からなり、この表面に複数本の紐、ロープ、番線などが碍子を包みこむ方向に縫い付けられたものである。
【０００４】
この養生シートを用いた碍子の取替え作業は、通常、以下のような順序で行われていた。
まず、鉄塔腕金先端の碍子取り付け位置に作業者２名がぶら下がるか、または腕金から垂らした梯子を足場としてこれに足をかけた状態で、1名が養生シートを持ち、他の１名が碍子にこの養生シートを巻きつけ、細い径のロープなどで該養生シートの上から当該碍子を縛る。次に、碍子の一端部から送電線を外し、当該碍子よりも高い位置の腕金などに掛止した金車から垂らしたロープによりこの碍子を縛り、吊り下げられるようにする。このロープを張って碍子を吊った状態とし、1名が当該碍子を垂直になるように保持し、他の１名が当該碍子を腕金に固定する固定具を外して碍子を宙吊りにしてゆっくりと地上に降ろす。地上で待機していた作業者が、ロープを解き、養生シートを広げ碍子を取り出す。
【０００５】
次に、新品の碍子を腕金の所定の位置に取り付けるには、まず、地上において、新品の碍子に養生シートを巻き付けて細い径のロープなどで縛り、さらにその上を金車にかけていたロープを用いて縛り、上記碍子を腕金先端の元の碍子の取り付け位置まで吊り上げる。鉄塔上で待機していた作業者２名がこれを受け取り、腕金にぶら下がるか、または腕金から垂らした梯子を足場としてこれに足をかけた状態で、１名が当該碍子を垂直になるように支え、他の１名が固定具を用いて腕金先端の碍子取り付け位置にその碍子の一端を固定する。そして、碍子の他端に送電線を取り付け、作業者の1名が養生シートを持ち、他の1名が養生シートの紐を解き、碍子から養生シートを外す。
【０００６】
しかし、上記のような一連の碍子取替え作業では、重量物である碍子を腕金先端の所定の位置に取り付けるために、必ず作業者２名で行わなければならず、また、作業者が腕金からぶら下がり、かつ体勢の非常に悪いなか養生シートを碍子に巻きつけるのはかなりの手間を要し、作業性が悪い。
また、鉄塔から碍子を取り外したり取り付けたりする際、作業者１名が体勢の悪いなか、碍子を直接抱きかかえるようにしなければならないため、非常に危険な作業となる。また、破損した碍子に取り替えのために養生シートを巻き付ける際に、この破損部分によって手などを負傷することがある。さらに、碍子を腕金先端の取り付け位置に固定する場合に、当該固定具を受ける構造とはなっていないため、固定具を落としてしまうと、地上で待機している作業者を危険にさらすことがある。
【０００７】
一方、このような養生シートについては、従来よりいくつかの提案がなされている。例えば、特許文献１では、少なくとも碍子の長手方向長さ及び周縁方向長さをそれぞれ縦横に有するシートと、当該シートの縦方向両側縁部にそれぞれパイプ状などの支持部材を当該方向両端からそれぞれはみ出させた防護養生シート体が提案されている（特許文献１参照）。
【０００８】
しかし、上記提案に係る防護養生シートは、上記問題（ｂ）における巻きつけの際の手間を軽減するのには効果があるとしても必ず作業者２名での作業が必要であるなどまだ不十分であり、また、上記のような危険な作業が伴い、安全面でも十分に改善されているとはいえない。
【０００９】
【特許文献１】特開平１１−６６９８６号公報
【発明の開示】
【発明が解決しようとする課題】
【００１０】
本発明は、上記事情に鑑み、電気絶縁碍子の搬送、養生に適し、取替え作業を安全かつ効率的に行うのに適した電気絶縁碍子搬送用袋を提供することを目的とする。
【課題を解決するための手段】
【００１１】
上記目的は、本発明によれば、柔軟性のある有底円筒の袋体と、その開口縁部に配置されたリング状の開口保持具と、前記袋体の周側部の対向する位置に固着され、前記開口縁部から外方に延び、先端に吊具を備えた少なくとも１対の吊持体とを有することを特徴とする電気絶縁碍子搬送用袋によって達成される。
【発明の効果】
【００１２】
本発明の電気絶縁碍子搬送用袋（以下、単に「搬送用袋」という。）は、その開口縁部にリング状の開口保持具を備え、開口を開いた状態で保持する構成としたので、碍子を容易に上記袋体中に収納できるとともに、作業者は直接碍子に接触せずに済み、作業者が負傷する危険性が著しく低減される。また、袋体の周側面の対向する位置に当該開口縁部にから延びる少なくとも１対の吊持体を設けることとしたので、碍子を収納した状態で吊り下げることができ、碍子の取り外しや取り付けが可能となる。その結果、容易に碍子の搬送、養生ができるとともに、碍子の取替え作業を短時間で行うことができ、作業性が著しく向上する。
更に、碍子の取替え作業においては、袋体内に碍子を収納するため、その後碍子が何らかの原因で破損した場合でも、その破片が地表に落下することがない。また、開口保持具により袋体の開口縁部が円形に保持され、その開口の上方において碍子の取り付けや取り外しの作業が行えるため、作業者が碍子取り付け用固定具を落とした場合でも袋体内に捕捉されるため、固定具を地上に落下させる危険性がない。
【発明を実施するための最良の形態】
【００１３】
以下、図面を参照して本発明の電気絶縁碍子搬送用袋について説明する。
図１は、本発明の電気絶縁碍子搬送用袋を示す斜視図であり、図２は、その底面図である。図３は、本発明の袋体１に接続可能な延長部材２の斜視図である。また、図４は、本発明の電気絶縁碍子搬送用袋の使用状況を示す図である。なお、各図において共通する部分については、同一の符号を付している。
【００１４】
本発明の電気絶縁碍子搬送用袋１は、図１に示すように、底１６およびその周縁部から立設された周側部１０を有する有底円筒状の袋状をなし、これにリング状の開口保持具１１および少なくとも1対の吊持体１３を備えたことを特徴とする。
【００１５】
本発明の袋体１は、柔軟性のある材質で形成される。碍子をこれに収納した状態で搬送など行うことから、高い引張り強度を有するものが好ましい。このような材質としては、例えば木綿、麻、絹、羊毛などの天然繊維材料、ガラス繊維、炭素繊維、アルミナ繊維、炭化珪素繊維などの無機繊維材料、ナイロン繊維、ポリエステル繊維、アクリル繊維、ポリウレタン繊維などの合成繊維材料をそれぞれ単独でまたは2種以上を組み合わせてシート状に編成したものが使用できる。これにゴム質材料を混在させたものであってもよい。また、上記各種繊維材料を編成したもののほか、ポリエチレン、ポリプロピレン、塩化ビニール、塩化ビニリデン、ポリプロピレン、ポレオレフィンなどの熱可塑性プラスチックシートなどの合成樹脂製シート材料も好適に使用できる。さらに、このシート材料もしくは上記繊維材料をシート状に編成したものの2種以上の同種または異種の組み合わせを少なくとも２層積層したものでもよく、上記繊維材料を編成したものに上記シート材料を少なくとも２層積層したものであってもよい。
【００１６】
この袋体１は、上記のような材料を用いて有底円筒の袋状に形成される。この中に碍子を収納した状態で吊り上げた場合に碍子の重量に耐えられるように、底部１６は、その全面に適当な方法で補強を施し、その周縁部は、周側部１０と強固に固着される必要がある。底部１６の直径は、通常、多用される碍子が収納可能な程度の大きさに設定される。
【００１７】
周側部１０の長さ（深さ）は、碍子本体の全長やこれに連結部などを含めた長さなどによって適宜設定できるが、図４に示すように１対の吊持体１３によってこの袋体１を碍子を収納した状態で吊り下げた場合に碍子がバランスを失して上下反転することがない程度の長さ（深さ）とするのが好ましい。従って、碍子が反転しなければ、碍子の一端が袋体１から突出した状態であっても構わない。また、この周側部１０の長さは、碍子全体がこの袋体１内に完全に収納できる長さとするのがより好ましく、碍子の全長と略同等の長さに設定するのが最も好ましい。このように周側部１０の長さを設定することにより、碍子取替え作業において袋体１の開口の直近の上方または袋体内の上記開口側の上部において碍子の取り付けや取り外し作業を行うことができ、作業性も向上する。なお、この周側部１０には、その上部の吊持体の固着部分を避け対向した位置に略長方形の開口を設けて袋体１を手に提げて持つようにすることができる。また、周側部１０の下側の外面には、振れ止め用の金具を取り付けることができる。
【００１８】
この袋体１の開口縁部には、リング状の開口保持具１１が配置される。この開口保持具１１は、袋体１の開口縁部の形状を底１６と略同等の直径の円形に保持するために使用されるものである。従って、開口が円形に保持される限り、この開口保持具１１の材質は特に限定されず、金属製、木製、合成樹脂製その他の公知の材料をリング状にしたものなどが使用できる。また、この開口保持具１１は、袋体１の開口縁部に接着、溶着などの手段を用いて固定してもよく、これを内包するように開口縁部を所定の幅で折り返し、該縁部を袋体１の周側面に縫合などすることにより固定してもよい。
【００１９】
吊持体１３は、袋体１を吊るのに用いられるものであり、少なくとも1対が袋体１の周側面に固着され、その開口縁部から外方へ延びるように形成されている。少なくとも１対の吊持体１３は、上記袋体１の周側部の対向する位置に固着される。2対以上の吊持体を用いる場合、各吊持体は開口の円周に沿って相互に等間隔となるように開口縁部から外方に延びるようにして対向した位置に配置するのがよい。この場合、２本の吊持体は袋体開口縁部に対向して設けられているため、それぞれのバランスをとることで袋体内の碍子を垂直に保持させやすい。
【００２０】
吊持体１３は、この袋体１内に碍子を収納した状態でこれらの重量を支えるのに十分な引張強度を有するものであれば特に限定されず、帯状などの種々の形状のものを好適に使用できる。例えば、帯状の吊持体としては、一般に使用される安全帯、荷締めベルト、ラッシングベルトなどが挙げられる。また、この吊持体は、紐、ロープ、ワイヤーロープなどであってもよい。
【００２１】
また、この吊持体１３は、この袋体１に碍子などを収納して吊り上げた場合に碍子などの重量の数倍程度の荷重がかかった場合でも袋体１から剥離しないように固着されているのがよい。このような固着手段としては縫合、接着などを用いることができる。袋体１内に碍子を収納して搬送などを行う場合の安全性の観点からは、少なくとも１対の吊持体１３、１３は、袋体１の周側面１０の対向する位置に、その全長にわたって周側部１０に固着されていることが好ましく、更に底部１６から周側部１０にわたって吊持体１３が固着されているのがより好ましい。特には、この吊持体１３を長尺の一体物とし、その長さ方向の中央部分を袋体１の底部１６に固着し、これに連なる対向する周側面１０に順にこれを固着するのが最も好ましい。これにより、袋体１本体のみならず吊持体１３によっても袋体１内の収容物の重量を支えることが可能となる。この吊持体１３の袋体から延びる部分には、適宜トレンチバックルや一本線送りなどの吊持体長さ調整具を用いてそれぞれの吊持体１３，１３の長さ調整を行うことができる。
【００２２】
この吊持体１３の先端には、Ｄカン、キャストリング、平リングまたは角リングなどの吊具１２を例えば接着、縫合などの方法によって取り付けておくことが好ましい。
【００２３】
また、袋体１には、所定の位置にその周側面を束縛可能な帯状体１４が備えられていてもよい。この帯状体１４には、上記袋体１に使用可能な材質によって形成することができる。この帯状体は、袋体１の底部１６から所定の位置に、例えば底部１６と開口との略中間の位置に接着、溶着などの手段を用いて確実に固定されていてもよいが、マジックテープ（登録商標）などを用いて分離可能に固定できるのが好ましい。このように分離可能に固定することにより、この搬送用袋１に碍子を収納した場合に、碍子の笠と笠との間でこの帯状体を用いて結束する事ができ、その結果、搬送時や作業時において袋体１０内での碍子の動きを抑制することができる。
【００２４】
本発明の搬送用袋１には、収納する碍子の全長が更に長い場合にも対応可能なように、その開口にさらに延長部材２を連結することができる。図３に示すように、この延長部材２は、周側部２０の両端に開口を有する円筒状を呈しており、一方の開口縁部にはリング状の開口保持具２１が、また他方の開口部分には上記袋体１との接続手段２４が備えられている。この延長部材２は、袋体１と同種の材質であっても異種の材質であってもよいが、上記袋体１と同様に柔軟性を有していることが好ましい。
【００２５】
また、周側部２０の対向する位置には、それぞれ長さ方向に沿って上記吊持体１３を挿通させるための複数の通し穴２２、２２、・・・が配列されている。各通し穴２２は、略長方形の形状を呈し、長辺が円周に沿った方向に設けられている。このように周側面の対向する位置に複数の通し穴２２、２２、・・・を設けておくことで、収納される碍子の全長などを考慮して上記吊持体１３，１３をこれらに自在に挿通させて、袋体１０にこの延長部材２を接続することができる。上記通し穴の配列は、直接延長部材２の周側部に複数の通し穴を設けることにより形成してもよいが、複数の通し穴を配列した部材を別個に用意し、これを接着、溶着または縫合などの手段を用いて分離しないように周側面２０の外面に固定してもよい。
【００２６】
この延長部材２は、その一端部の接続手段２４を上記袋体１０の開口縁部に装着して連結する。接続手段２４は、上記開口縁部の内側に取り付けてもよく、外側に取り付けてもよい。全長の長い碍子連を収納する場合にこの延長部材２を用いるのが利便性が高いことから、両者は着脱自在に装着されることが好ましい。そのため、接続手段２４としてはマジックテープ（登録商標）などを用いるのがよい。
【００２７】
次に、本発明の電気絶縁碍子搬送用袋を用いた碍子の取替え方法について説明する。その手順としては、まず鉄塔腕金先端の碍子取り付け位置に作業者１名がぶら下がるか、または腕金から垂らした梯子を足場としてこれに足をかけた状態で、碍子端部から送電線を外す。次に、本発明の搬送用袋１を上記送電線を外した側から碍子に被せ、当該袋１の吊持体１３先端の吊具１２を金車から垂らしたロープ先端のフックなどに掛止して、当該搬送用袋１ごと吊った状態とする。その際、袋体１０周面に設けられたマジックテープ（登録商標）で袋体の上から当該碍子を締付け、内部で碍子が動かないようにする。この状態で、吊持体１３を調整し、碍子を垂直に保持し、腕金の碍子取り付け位置から固定具を外し、ゆっくり地上に降ろす。
【００２８】
また、新品の碍子を腕金の所定の位置に取り付ける場合には、新しい碍子を搬送用袋１内に収納し、その周面をマジックテープ（登録商標）で締め付けて碍子が内部で動かないようにし、吊持体１３の先端の吊具１２を金車からのロープ先端のフックなどに掛止し、搬送用袋１ごと腕金の碍子取り付け位置まで吊り上げる。搬送用袋１を吊った状態で、固定具を用いて碍子の一端を所定の位置に固定する。次に、袋体周面のマジックテープ（登録商標）を解き、下方に引き下げて上記碍子を露出させ、碍子の下側に位置する他端に送電線を取り付ける。
【００２９】
上記のように、本発明の搬送用袋１を使用することで、腕金先端の狭い場所で、かつ体勢が悪い状態であっても、開口保持具１１により袋体１０の開口が開いた状態で保持されるので、碍子の下からこれを被せやすく、また袋の外周面からマジックテープ（登録商標）で碍子を縛って固定するだけで済むようになり、その結果、作業者２名での作業を１名で出来るようになり、作業性が著しく向上する。また、本発明の搬送用袋は、袋体と吊持体とを固着してあるので、金車から垂らしたロープのフックなどにこの吊持体１３を掛止した上で袋体内に重量物である碍子を収納することで、碍子自体が落下する危険がない。さらに、本発明の搬送用袋は、その開口が開いた状態で保持されるので、腕金先端の取り付け位置に碍子を取り付ける際などに固定具を落とした場合でも搬送用袋内に捕捉でき、地上に落下させる危険性がない。
【産業上の利用可能性】
【００３０】
本発明の電気絶縁碍子搬送用袋は、広範な電気絶縁碍子の取替え作業に効果的に使用できる。特に、送電鉄塔などに架設された電気絶縁碍子の取替え作業に有用であるが、変電所の開閉設備などの碍子の取替え作業にも使用できる。
【図面の簡単な説明】
【００３１】
【図１】本発明の電気絶縁碍子搬送用袋を示す斜視図である。
【図２】本発明の電気絶縁碍子搬送用袋の底面図である。
【図３】本発明の電気絶縁碍子搬送用袋に接続可能な延長部材の斜視図である。
【図４】本発明の電気絶縁碍子搬送用袋の使用状況を示す図である。
【符号の説明】
【００３２】
１・・・電気絶縁碍子搬送用袋
１０・・・袋体
１１・・・開口保持具
１２・・・吊具
１３・・・吊持体
１４・・・帯状体
２・・・延長部材
２１・・・開口保持具
２２・・・通し穴
２４・・・接続手段
【図１】
2007106425.tif 000003
【図２】
2007106425.tif 000004
【図３】
2007106425.tif 000005
【図４】
2007106425.tif 000006